(57)【要約】【課題】線状光源からの出射光を効率よく利用し導光板の輝度を高めると共に、線状光源とリフレクタとの間隙を適正に維持し、光取り出し効率が高い液晶表示装置のバックライトランプセット提供する。【解決手段】導光板１６と、導光板１６の底面に配置された反射板１７と、導光板１６の側端面に対して平行に配置された線状光源２５と、線状光源２５を覆い線状光源２５の光を導光板１６側へ反射するように配置されたリフレクタ２６とを有し、リフレクタ２６の導光板１６の側端面と反対側に位置する背面部２６ａには、線状光源２５に対して平行かつ導光板１６の側端面に対して垂直な方向に延び、線状光源２５に向かって突出する突出部２６ｅが形成され、突出部２６ｅは線状光源２５との間に所定の間隙を有している。【選択図】図４
2006269318.tif 000002
【特許請求の範囲】
【請求項１】
導光板と、前記導光板の底面に配置された反射板と、前記導光板の側端面に対して平行に配置された線状光源と、前記線状光源を覆い前記線状光源の光を前記導光板側へ反射するように配置されたリフレクタとを有し、前記リフレクタの前記導光板の側端面と反対側に位置する背面部には、前記線状光源に対して平行かつ前記導光板の側端面に対して垂直な方向に延び、前記線状光源に向かって突出する突出部が形成され、前記突出部は前記線状光源との間に所定の間隙を有していることを特徴とするバックライトランプセット。
【請求項２】
前記リフレクタの背面部は、断面が前記突出部を境界として前記導光板の厚み方向に対称な形状を有していることを特徴とする請求項１に記載のバックライトランプセット。
【請求項３】
前記リフレクタの背面部は、前記突出部に隣接し、かつ前記突出部の突出方向と逆向きに延び、断面がアルファベットのＵを二つ密接して並べた形状に形成されていることを特徴とする請求項１又は２に記載のバックライトランプセット。
【請求項４】
前記リフレクタの背面部は、断面がＭ字状に形成されていることを特徴とする請求項１又は２に記載のバックライトランプセット。
【請求項５】
前記リフレクタの上側側面は、その内面が前記導光板の上面と同じ高さになるように水平に形成され、前記リフレクタの下側側面の内面は前記反射板の底面と同じ高さになるように水平に形成されていることを特徴とする請求項１〜４のいずれかに記載のバックライトランプセット。
【請求項６】
前記突出部の外面に沿った位置には、前記線状光源への電圧供給用のリード線が配設されていることを特徴とする請求項１〜５のいずれかに記載のバックライトランプセット。
【請求項７】
請求項１〜６のいずれかに記載のバックライトランプセットを導光板側端面に配置したことを特徴とする液晶表示装置。
【発明の詳細な説明】
【技術分野】
【０００１】
本発明は、液晶表示装置に使用されるバックライトランプセット及びこのバックライトランプセットを用いた液晶表示装置に関するものであり、特に線状のランプを光源とするエッジライト型バックライトランプセットと、このバックライトランプセットを用いた液晶表示装置に係るものである。
【背景技術】
【０００２】
テレビジョンなどの表示装置として、省電力で薄型、軽量である液晶表示装置が賞用され、その液晶表示装置に用いる輝度が安定した信頼性が高いバックライトランプセットが求められている。
【０００３】
この種の液晶表示装置は、液晶セルの背面に配置したバックライトからの光を液晶セルに照射して液晶セルに形成された映像を見る方式のものであって、直下ライト方式及びサイドライト方式のものが知られている。
【０００４】
このうち直下ライト方式は、大型の液晶モジュールや中型のテレビジョン等、高輝度が必要とされる際のバックライトランプセットによく使用されている。このような直下ライト方式のバックライトランプセットとしては、例えば特許文献１に開示されたものが知られている。このバックライトランプセット１１０は、図７に示すように、液晶セルの背面に並べた複数本の蛍光管１１４を、これを収納するハウジング１１３とハウジング１１３の開口部を覆うように配置された拡散板１１２内にハウジングに充填する充填材１１５と共に収納するものであり、厚みが厚くなり、薄型モジュールには不適で、しかも光源を多く必要とするためコストがかかるものであった。
【０００５】
よって、薄型が要求されかつそれほど高輝度が必要とされない用途、例えば中型のノートタイプのパソコンなどに用いられるモニタには一般にサイドライト方式が採用されている。サイドライト方式のバックライトランプセットは、本体側面に配置された線状光源からの光を面状光源に変更するための導光板を備え、導光板の背面には反射板が、前面には拡散板が配置される。この種の光源としては従来から線状の冷陰極管がよく用いられており、光源を導光板の縁に設けることからエッジライト型バックライトともいわれる。
【０００６】
エッジライト型のバックライトランプセットは、アクリル樹脂製等の導光板の入光面であるサイドエッジ（側端面）が線状光源の出射面と平行に配置されており、導光板の背面には白色の反射板が、前面には拡散板が配置されている。しかし、エッジライト型のバックライトランプセットにおいても、液晶テレビジョン等の液晶表示装置の大型化に伴い、輝度不足の解決や光量の均質度向上の要求がある。そのため、この種エッジライト型のバックライトランプセットにおいては、導光板の側端面に沿って配置した線状光源の導光板に対向する側を開放した略コ字状あるいは半円筒状のリフレクタを線状光源の全長に沿って備え、反射効率を上げて線状光源からの出射光を効率よく導光板に導入して液晶パネルを照明するようにしている。
【０００７】
以下において、エッジライト型バックライトランプセットとして下記特許文献２に開示されている基本的なバックライトランプセットを、図８を用いて説明する。このバックライトランプセット１２０は、液晶セル（図示せず）の背面に配置される透明な板からなる導光板１２４の入光面である側端面１２４ａに沿って配置した線状光源１２１と、線状光源１２１を収容して導光板の側端面に開口を有するリフレクタ１２５と、リフレクタ１２５の内壁と線状光源１２１の外壁との間に介挿して線状光源１２１をリフレクタ１２５の内壁に対して所定の間隔を持って保持するホルダー１２６とを有する。
【０００８】
上述のバックライトランプセットは、スライド式に液晶表示装置に抜き差し可能なため、線状光源の収納作業を簡素化するとともに、線状光源の交換等のメンテナンスが容易になり、また、部品コストの低減が可能となるという効果を奏するものである。
【特許文献１】特開２００３−２３３０７１号公報
【特許文献２】特開２００３−２１５５８２号公報
【発明の開示】
【発明が解決しようとする課題】
【０００９】
しかしながら、上記特許文献２に開示されているバックライトランプセット１２０は、線状光源１２１から導光板１２４の反対側に位置するリフレクタ１２５に放射された光は、リフレクタ１２５の背面部で線状光源１２１側に反射され、それが再び線状光源１２１に反射されるというように両者間を往復する状態となる。すなわち、本従来技術のような線状光源とリフレクタの配置では、線状光源１２１が邪魔になってリフレクタ１２５の反射効率が悪く、高い輝度が得られ難い。これはこの往復反射による線状光源１２１の光吸収が大きいことから導光板１２４に入射する光エネルギーが減少することに起因する。このことから、このようなバックライトランプセットを用いた場合、その光取り出し効率（液晶セルに与える輝度／光源の消費電力量）を高くすることができず、線状光源を使用するエッジライト型のバックライトランプセットにおいては光取り出し効率をどのようにして増加させるかが重要な課題となっていた。
【００１０】
また、線状光源がリフレクタに接触すると光取り出し効率が低くなることから、線状光源とリフレクタ背面部との間には通常所定の間隙が設けられている。これは導光板の側端面に沿って設けられる線状光源の両端部はゴム製のホルダーで支持され平行度が維持されるが、線状光源の管径が小さく、一辺の長さが比較的長い大型の液晶表示装置にあっては、製造時に生じる設置位置のばらつきや動作時の発熱によって線状光源に反りや撓みが発生して線状光源の中央部がリフレクタに接触することがあり、そうすると接触箇所で漏れ電流が発生して輝度が低下することがある。このため、リフレクタ背面部と線状光源の外形との間には所定の間隙が保たれていることが必要である。
【００１１】
また、リフレクタの背面部が平板又は曲面であるので、背面部の裏側を経て両端に引き回された線状光源に対する電圧印加のためのリード線を効率的に収納でき、以って液晶表示装置の底板へのバックライトランプセット取付け作業の効率がよいものが望まれている。
【００１２】
本願の発明者は、前記の問題点を解決すべく種々検討を行った結果、線状光源とリフレクタとの関係に着目し、線状光源のリフレクタ側へ出射される光量が有効利用できるように、線状光源を覆うリフレクタの構造を工夫することによって、上記問題点を解決できることを見出し、本発明を完成するに至ったものである。
【００１３】
すなわち、本発明は特に線状の冷陰極管などを光源とする液晶表示装置のバックライトランプセットにおいて、線状光源自体による反射光吸収を減少させ、線状光源の出射光を効率よく利用してバックライトランプセットの輝度を高めることができるバックライトランプセットを提供することを目的とするものである。
【００１４】
また、本発明は導光板の側端面に線状光源を対置せしめたとき、リフレクタと線状光源との間隔を適正に維持し、線状光源とリフレクタとが近接し過ぎ又は接触するために生じる輝度の低下を防止した液晶表示装置のバックライトランプセットを提供することを目的とする。
【００１５】
さらに、本発明は液晶表示装置のバックライトランプセットを液晶表示装置に部材として組みこむ際に、線状光源の電圧供給用リード線の配線が邪魔にならないように、底板の溝に挿入することができ、組み立てや修繕が容易にできるバックライトランプセットを提供することを目的とする。
【００１６】
さらにまた、本発明は上述のような特徴を備えたバックライトランプセットを使用した液晶表示装置を提供することを目的とする。
【課題を解決するための手段】
【００１７】
前記課題を解決するために、本願の請求項１のバックライトランプセットに係る発明は
導光板と、前記導光板の底面に配置された反射板と、前記導光板の側端面に対して平行に配置された線状光源と、前記線状光源を覆い前記線状光源の光を前記導光板側へ反射するように配置されたリフレクタとを有し、前記リフレクタの前記導光板の側端面と反対側に位置する背面部には、前記線状光源に対して平行かつ前記導光板の側端面に対して垂直な方向に延び、前記線状光源に向かって突出する突出部が形成され、前記突出部は前記線状光源との間に所定の間隙を有していることを特徴とする。
【００１８】
また、請求項２に記載の発明は、請求項１に記載のバックライトランプセットにおいて、前記リフレクタの背面部は、断面が前記突出部を境界として前記導光板の厚み方向に対称な形状を有していることを特徴とする。
【００１９】
また、請求項３に記載の発明は、請求項１又は２に記載のバックライトランプセットにおいて、前記リフレクタの背面部は、前記突出部に隣接し、かつ前記突出部の突出方向と逆向きに延び、断面がアルファベットのＵを二つ密接して並べた形状に形成されていることを特徴とする。
【００２０】
また、請求項４に記載の発明は、請求項１又は２に記載のバックライトランプセットにおいて、前記リフレクタの背面部は断面がＭ字状に形成されていることを特徴とする。
【００２１】
また、請求項５に記載の発明は、請求項１〜４のいずれかに記載のバックライトランプセットにおいて、前記リフレクタの上側側面は、その内面が前記導光板の上面と同じ高さになるように水平に形成され、前記リフレクタの下側側面の内面は前記反射板の底面と同じ高さになるように水平に形成されていることを特徴とする。
【００２２】
また、請求項６に記載の発明は、請求項１〜５のいずれかに記載のバックライトランプセットにおいて、前記突出部の外面に沿った位置には、前記線状光源への電圧供給用のリード線が配設されていることを特徴とする。
【００２３】
また、請求項７に記載の液晶表示装置の発明は、請求項１〜６のいずれかに記載のバックライトランプセットを導光板側端面に配置したことを特徴とする。
【発明の効果】
【００２４】
請求項1の発明によれば、リフレクタの背面部において、線状光源に対して平行に配置され、線状光源に向かって突出する突出部を設けた。その結果、線状光源から発せられた光がリフレクタによって反射された際に線状光源に向かって反射し難くなるため、線状光源によるリフレクタの反射光の吸収が減少し、バックライトランプセットから導光板の側端面への入射光の光量を効率よく増加させることができるため、光の利用効率が向上し、輝度が高い高品質のエッジライト型のバックライトランプセットが得られる。また、リフレクタの突出部の先端と線状光源との間には所定の間隙が設けられているため、線状光源がリフレクタ中央部の突出部に接触することも少なくなる。
【００２５】
また、請求項２の発明によれば、線状光源から出る光線がリフレクタの背面部において導光板の厚み方向に対してバランスよく反射できるので、線状光源によるリフレクタの反射光の吸収が減少し、導光板の側端面に入る光量が増し、光取り出し効率が従来例のものに比べ高くなる。
【００２６】
また、請求項３の発明によれば、リフレクタの背面部は、突出部に隣接し、かつ突出部の突出方向と逆向きに延び、断面がアルファベットのＵを二つ密接して並べた形状に形成されている。そのため、突出部が線状光源と対向する部分の面積が非常に小さくなり、しかもリフレクタの背面部への入射光は入射方向とは異なる方向に反射されるので、線状光源から出てリフレクタの背面部によって反射され、再び線状光源によって反射するという往復反射する光の量は大きく減る。その結果、光取り出し効率は従来に比べ高くなる。
【００２７】
また、請求項４の発明によれば、リフレクタの背面部は、断面がＭ字状に形成されているため、リフレクタの背面部への入射光は入射方向とは異なる方向に反射されるので、線状光源から出てリフレクタの背面部によって反射され、再び線状光源によって反射するという往復反射する光の量は大きく減る。その結果、光取り出し効率は従来に比べ高くなる。
【００２８】
また、請求項５の発明によれば、リフレクタの上側側面は内面が導光板の上面と同じ高さになるように水平に形成され、下側側面の内面は反射板の底面と同じ高さになるように水平に形成される。その結果、導光板の側端面に入る光が外部に漏れることがないので光取り出し効率が従来に比べて高くなる。
【００２９】
また、請求項６の発明によれば、突出部の外面に沿った位置には、線状光源への電圧供給用のリード線が配設されている。このように突起部の外面の窪んだ位置にリード線を配置したので、線状光源、リフレクタ、リード線及びランプホルダ等からなるバックライトランプセットを、液晶表示装置の組み立てや補修時に底板の溝に挿入するとき、リード線が邪魔にならない。
【００３０】
また、請求項７の発明によれば、液晶表示装置において、前述のバックライトランプセットを導光板側端面に配置することにより、光取り出し効率が高く、組み立ての容易な液晶表示装置が得られる。
【発明を実施するための最良の形態】
【００３１】
以下、本発明に係るバックライトランプセットとこのバックライトランプセットを備えた液晶表示装置の実施例を図面を参照して詳細に説明する。ただし、以下に示す実施例は、本発明の技術思想を具体化するためのバックライトランプセット及びそれを用いた液晶表示装置を例示するものであって、本発明をこの実施例に特定することを意図するものではなく、本発明は特許請求の範囲に示した技術思想を逸脱することなく種々の変更を行ったものにも均しく適用し得るものである。
【実施例１】
【００３２】
実施例１の液晶表示装置１０は、図1の分解斜視図に示したように、例えばＴＡＢ（Tape Automated Bonding）方式を用いてＦＰＣ（Flexible Print Circuits）１３を介して制御回路などが実装された回路基板１２が接続された液晶セル１１と、矩形平板状のアクリル樹脂等からなる導光板１６と、プリズムシート及び拡散シートなどからなる複数枚の光学シート１５と、導光板１６の底面に配置した反射板１７が組み合わされ、これらが上側に液晶セル１１を支持し下側にその他の構成部材を収納する樹脂枠体１４に嵌め込まれ、底板２０に収容された上、前面に前面枠２３を嵌め込んで組み立てられる。
【００３３】
そして、導光板１６の対向する２つの側端面にはリフレクタに線状光源を取付けたバックライトランプセット１８、１９が導光板１６の側端面に平行になるように導光板１６と樹脂枠体１４及び底板２０の隙間に取付けられる。なお、底板２０に取り付けられた回路基板１２などは、カバー２１、２２で覆われて固定され、保護されている。
【００３４】
図２は、図１の液晶表示装置１０の組み立て斜視図であり、液晶セル１１を前面に配置し前面枠２３を嵌めこんだ液晶表示装置１０の両側に、バックライトランプセット１８と１９が組み込まれている。図３は、図２の液晶表示装置１０のバックライト装置の平面図であり、バックライトランプセット収納部分の断面構造を示す図４ないし図６の断面箇所を示している。
【００３５】
図４は、液晶表示装置１０の導光板１６の側端面に取付けられたバックライトランプセット１８の収納状態を示すための図３に示すＡ−Ａ線で切断した断面図である。また図５は、図４と同様に液晶表示装置１０の導光板１６の対向する側端面に取付けられたバックライトランプセット１９の収納状態を示すための図３に示すＢ−Ｂ線で切断した断面図である。
【００３６】
以下において、図４、図５を参照して液晶表示装置に組み込まれるバックライトランプセットの構造を説明する。液晶表示装置１０のバックライトランプセット１８、１９は、導光板１６の対向する２つの側端面にリフレクタ２６に取付けた線状光源２５が導光板１６の端面に平行になるように取付けられるように、底板２０とその折り曲げて形成された側板２０ａと枠体１４と導光板１６の側端面とで形成される開口部に収納される。
【００３７】
バックライトランプセット１８、１９の一端からはリード線２７の引き出し端が装置本体から露出し、そのリード線引き出し端にコネクタが取り付けられて底板２０の背面にまわされ、外部電源（図示省略）に配線されている。
【００３８】
冷陰極管からなる線状光源２５は、その直径が１．８〜３．０ｍｍ程度であり、長さは取り付けられる液晶表示装置の大きさに比例するが、おおよそ３００〜４６０ｍｍという細長い直管である。線状光源２５はその両端の端子にリード線２７を接続した後、図示しないシリコンゴム製のキャップを嵌め込み、リフレクタ２６の両端部にキャップを固定して線状光源２５とリフレクタ２６とを取付ける。
【００３９】
また、線状光源２５の長手方向の中央部分には、図示しないが、予め絶縁スペーサがその孔に線状光源２５を挿し通して取付けてあり、リフレクタ２６との間隔を保持してランプの平行度を維持する。
【００４０】
リフレクタ２６は、線状光源２５と略同じ長さの金属板、例えばアルミニウム板を所定の断面形状に成形し、その内側面に銀蒸着シートなどの反射シートを貼り付けたものである。線状光源２５の導光板１６に面する部分以外を取り囲むようにして固定し、その開口部を導光板１６の側端面に対置して取付けられる。リフレクタ２６は線状光源２５に対向する背面部２６ａと、背面部２６ａを導光板１６に対して支持する上部側面２６ｂ、下部側面２６ｃとを有しており、背面部２６ａは、リフレクタ２６の長手方向に沿って内側反射面の幅方向の中央が凸となる突出部２６ｅを有する。
【００４１】
すなわち、リフレクタ２６の背面部２６ａにはその長手方向に沿って内側に向けて連続した突出部２６ｅが設けられ、突出部２６ｅの裏側には窪みが溝２６ｄとして形成される。なお、ここでは液晶表示装置１０の表示面が位置する方向を上部とし、表示面の裏面を下部として説明している。
【００４２】
線状光源２５から背面部２６ａ側に発せられる光はリフレクタ２６で反射されて導光板１６に導かれるが、リフレクタ２６内に線状光源２５が収納されているので、図８に示した従来のリフレクタ１２５のようにその背面が平坦面で形成されていると、リフレクタ１２５の反射光が線状光源１２１に遮られてしまう。
【００４３】
そこで本発明のリフレクタ２６は、導光板１６の側端面に線状光源２５を介して対向するリフレクタ２６の背面部２６ａの断面が、導光板１６の側端面の厚み方向の中心２９と線状光源２５の中心２８と背面部２６ａの中心を垂直に結ぶ線３０を境として、導光板１６の厚み方向に対称となるようにし、線状光源２５から背面部２６ａ側に向かって出た光が背面部２６ａと線状光源２５間を繰り返し往復しないように、所定の反射角度となるように形成したものである。
【００４４】
すなわち、リフレクタ２６の背面部２６ａは、突出部２６ｅの線状光源２５と対向する部分の面積が小さくなるようにするとともに、この突出部２６ｅが線状光源２５に対して平行かつ導光板１６の側端面に対して垂直な方向に延びる様に、かつ、線状光源２５に向かって突出する様に形成されている。この突出部２６ｅを境として導光板１６の厚み方向に対称となるような隣接する二つの同一形状の部材から形成されている。
【００４５】
このリフレクタ２６の背面部２６ａの断面形状は、その中央部が線状光源２５が設けられた方向に突出していて、その両側に形成された曲面の形状が線状光源２５からの光を効率よく導光板１６側へ反射するような角度を有するように設計されている。
【００４６】
より具体的には、本実施例においては、リフレクタ２６の背面部２６ａは、突出部２６ｅに隣接し、かつ突出部２６ｅの突出方向と逆向きに延び、断面がアルファベットのＵを二つ密接して並べた形状に形成されている。この様に、背面部２６ａは、線状光源２５からの光を直接的に、線状光源２５に向かって、再び反射しない様に、形成されている。
【００４７】
このために、線３０に沿ってリフレクタ２６へ入射する光及びリフレクタ２６で反射されて線状光源２５に入射する光の量は非常に少なくなる。
【００４８】
一方、線状光源２５から両側のＵ字面に出射された光線３１は、例えば矢印で示すように反射されるので、線状光源２５に妨げられることなく導光板１６の側端面に導かれる。この結果、線状光源２５の出射光は、線状光源２５自体により吸収されることが少なく、効率よく導光板１６に入射することになる。
【００４９】
なお、本実施例において、線状光源２５の外周とリフレクタ２６の背面部との間に図示しないランプホルダ及び絶縁スペーサによって確保された所定の間隙が設けられている。すなわち、本実施例のリフレクタ２６は、幅方向の中央部に当たる突出部２６ｅが線状光源２５が設けられた方向に突出しているが、前述のランプホルダ及び絶縁スペーサは線状光源２５を中央部の突出部２６ｅと所定の間隔を保って接触しないよう保持している。
【００５０】
なお、絶縁スペーサは、線状光源２５の光の出射を妨げないように透明なシリコンゴム製のものが好ましく、その一部はリフレクタ２６の背面部の突出部２６ｅに適合するように窪みが形成されているとよい。この絶縁スペーサは、発熱などにより線状光源２５に仮に反りや撓みが発生しても、線状光源２５とリフレクタ２６との直接接触を防止する効果があるため、線状光源２５とリフレクタ２６との過度の接近や直接接触による高周波の漏れ電流の発生をもたらすことがなく、線状光源２５の輝度低下の恐れを防止できる。
【００５１】
また、リフレクタ２６の上部側面２６ｂはその内面が導光板１６の上面と同じ高さになるように水平に形成され、下部側面２６ｃはその内面が反射板１７の底面と同じ高さになるように水平に形成されている。その結果、出射された光が全て導光板１６側に導かれることになり導光板１６の側端面に入る光量が増すので光取り出し効率は高くなる。
【００５２】
また、背面部２６ａの突出部２６ｅの外面に位置する溝２６ｄ内には、線状光源２５の一端に取付けられたリード線２７が収納され、リフレクタ２６の外側を通って他方の端まで引き回され、線状光源の他端に取付けられたリード線２７とまとめて本体外部に引き出される。
【００５３】
そして、引き出されたリード線２７の端部にはコネクタ３２ａ（３２ｂ）が取付けられる。リード線２７は、溝２６ｄの中に通すだけでなく、溝２６ｄに接着剤等で固定してもよい。なお、リフレクタ２６の両端に嵌合されたランプホルダの背面においても、リフレクタ２６の突出部２６ｅに適合するように窪みが設けられている。
【実施例２】
【００５４】
次に、本発明の実施例２に係る液晶表示装置について説明する。図６は本発明の実施例２に係る液晶表示装置１０’を図３のＡ−Ａ線に相当する位置で切断した断面図であり、液晶表示装置のバックライトランプセットにおけるリフレクタの構造以外は上記実施例１の液晶表示装置と同様の構造を備えている。そこで、以下には実施例１と同一構成部分については同一の参照符号を付与して説明する。
【００５５】
液晶表示装置１０’は、図６に示すように、液晶セル１１と、その背後に配置された導光板１６と、導光板１６の底面に配置された反射板１７と、導光板１６の側端面に対して平行に配置された線状光源２５と線状光源２５を覆うように配置されたリフレクタ２６’を備えたバックライトランプセット１８’とを備えている。実施例２のリフレクタ２６’は、線状光源２５に対して導光板１６の側端面に間に線状光源２５を介して対向するリフレクタ２６’の断面がＭ字状に形成されているものである。
【００５６】
すなわち、本実施例においては、導光板１６の側端面に対向するリフレクタ２６’の背面部２６ａ’の断面は、中央部が導光板１６の方向に突出した突出部２６ｅ’を形成し、幅方向に対称なＭ字の形状に形成される。２つのＶ字状部分をつなぐ背面の中央部は面取りがなされていると好ましく、線状光源２５からの光を直接的に線状光源２５に向かって反射しないように形成されている。
【００５７】
このために、両側のＶ字面に出射された光線３１は例えば矢印のように反射されるので線状光源２５からの光は線状光源２５に妨げられることなく導光板１６の側端面に導かれる。この結果、線状光源２５の出射光は、線状光源２５自体により吸収されることが少なく、効率よく導光板１６に入射することになる。
【００５８】
導光板１６の厚み方向の中心と線状光源２５の中心とを結ぶ線３０を中心として対称的に形成されたリフレクタ２６の突出部２６ｅ’と線状光源２５の外形との間には所定の間隙が設けられている。
【００５９】
また、リフレクタ２６’の上部側面２６ｂ’は内面が導光板１６の上面と同じ高さになるように水平に形成され、下部側面２６ｃ’の内面は反射板１７の底面と同じ高さになるように水平に形成されている。その結果、出射された光が全て導光板１６側に導かれることになり導光板１６の側端面に入る光量が増すので光取り出し効率は高くなる。
【００６０】
以上の実施例では、リフレクタの背面部の断面が一対の大文字Ｕを隣接させた形状又はＭ字状の物について説明した。しかし、リフレクタはこれらのものに限らず、背面部２６ａ，２６ａ’の断面が２個並列した半円形あるいは半楕円形や放物線状等のものでも同様の効果を奏することができる。
【００６１】
さらに、本発明のバックライトランプセットを液晶表示装置の導光板側端面に配置することにより、光取り出し効率が高く、組み立て、補修の容易な液晶表示装置が得られる。
【図面の簡単な説明】
【００６２】
【図１】本発明の実施例１に係る液晶表示装置の分解斜視図である。
【図２】図１の各部材を組み立てた液晶表示装置の斜視図である。
【図３】図２の平面図である。
【図４】図３のＡ−Ａ線断面図で液晶表示装置の構造断面図である。
【図５】図３のＢ−Ｂ線断面図である。
【図６】本発明の実施例２に係る液晶表示装置を図３のＡ−Ａ線に相当する位置で切断した断面図である。
【図７】従来の液晶表示装置における直下ライト方式のバックライトの構造を説明する断面図である。
【図８】従来の液晶表示装置におけるエッジライト方式のバックライトの構造を示す断面図である。
【符号の説明】
【００６３】
１０、１０’  液晶表示装置
１１  液晶セル
１２  回路基板
１３  ＦＰＣ
１４  枠体
１５  光学シート
１６  導光板
１７  反射板
１８、１９  バックライトランプセット
２０  底板
２１、２２  カバー
２３  前面枠
２５  線状光源
２６、２６’  リフレクタ
２６ａ、２６ａ’  背面部
２６ｂ、２６ｂ’  上部
２６ｃ、２６ｃ’  下部
２６ｄ、２６ｄ’  溝
２６ｅ、２６ｅ’  突出部
２７  リード線
３１  光線
【図１】
2006269318.tif 000003
【図２】
2006269318.tif 000004
【図３】
2006269318.tif 000005
【図４】
2006269318.tif 000006
【図５】
2006269318.tif 000007
【図６】
2006269318.tif 000008
【図７】
2006269318.tif 000009
【図８】
2006269318.tif 000010